(57)【要約】      （修正有）【課題】ディスク型記録媒体のケースよりも薄い厚さを有し、陳列スペースを縮小することができるディスク型記録媒体陳列ケースを提供する。【解決手段】正面部７、背面部８、第１側面部９、第２側面部１０及び底面部１１からなり、正面部７にその一部又は全部が切り欠かれた切欠部６を有するケース本体２と、正面部７、第１側面部９、背面部８、第２側面部１０のそれぞれの外面を覆うように巻き付けた合成樹脂製の透明なフィルムカバー３とを備える。ケース本体２の内部に、ディスク型記録媒体４を１枚又は２枚、歌詞カード２４を１枚収容した可撓性を有する貸出ケース５を収納するための収納空間２１を有する。第１側面部９の外面が上から見て外方に凸に湾曲した曲面であり、当該曲面の周長がディスク型記録媒体４のタイトルラベル１３のタイトル部の幅と同一である。【選択図】図１
0003200777.tif 000002
【実用新案登録請求の範囲】
【請求項１】
正面部、背面部、第１側面部、第２側面部及び底面部からなり、前記正面部にその一部又は全部が切り欠かれた切欠部を有するケース本体と、
前記正面部、前記第１側面部、前記背面部、前記第２側面部のそれぞれの外面を覆うように巻き付けた合成樹脂製の透明なフィルムカバーと、
前記背面部及び前記第１側面部と前記フィルムカバーとの間に挟み込まれるタイトルラベルとを備え、
前記ケース本体の内部に、ディスク型記録媒体を１枚又は２枚、歌詞カードを１枚収容した可撓性を有する貸出ケースを収納するための収納空間を有し、
前記第１側面部の外面が上か見て外方に凸に湾曲した曲面であり、当該曲面の周長が前記タイトルラベルのタイトル部の幅と同一であることを特徴とする記録媒体陳列ケース。
【請求項２】
正面部、背面部、第１側面部、第２側面部及び底面部からなり、前記正面部および前記背面部にそれらの一部又は全部が切り欠かれた切欠部を有するケース本体と、
前記背面部の切欠部を覆うように少なくとも前記背面部の外面に設けられたフィルムシートと、
前記正面部、前記第１側面部、前記背面部、前記第２側面部のそれぞれの外面を覆うように巻き付けた合成樹脂製の透明なフィルムカバーと、
前記背面部と対向するフィルムシート及び前記第１側面部と前記フィルムカバーとの間に挟み込まれるタイトルラベルとを備え、
前記ケース本体の内部に、ディスク型記録媒体を１枚又は２枚、歌詞カードを１枚収容した可撓性を有する貸出ケースを収納するための収納空間を有し、
前記第１側面部の外面が上か見て外方に凸に湾曲した曲面であり、当該曲面の周長が前記タイトルラベルのタイトル部の幅と同一であることを特徴とする記録媒体陳列ケース。
【請求項３】
前記フィルムシートは、前記背面部の外面の両側から、前記第１側面部の外面、前記第２側面部の外面、前記正面部の切欠部を覆うスリーブからなることを特徴とする請求項２に記載の記録媒体陳列ケース。
【請求項４】
前記ケース本体の底面部の少なくとも前面側の縁に、前記収納空間に収納される前記貸出ケースの脱落を防止する爪部を有することを特徴とする請求項１から３のいずれかに記載の記録媒体陳列ケース。
【請求項５】
前記第２側面部の外面に、前記フィルムカバーの両端部が係合するボスを有することを特徴とする請求項１から４のいずれかに記載の記録媒体陳列ケース。
【請求項６】
少なくとも前記第１側面部の外面の上下の端部に、前記タイトルラベルの上下端を位置決めする段部を有することを特徴とする請求項１から５のいずれかに記載の記録媒体陳列ケース。
【請求項７】
前記背面部に前記タイトルラベルの一端を位置決めするマークを有することを特徴とする請求項１、請求項１を引用する請求項４、５、６のいずれかに記載の記録媒体陳列ケース。
【請求項８】
前記フィルムシートに前記タイトルラベルの一端を位置決めするマークを有することを特徴とする請求項２、３、請求項２，３を引用する請求項４、５、６のいずれかに記載の記録媒体陳列ケース。
【考案の詳細な説明】
【技術分野】
【０００１】
本考案はレンタル用の音楽ＣＤ、ビデオＤＶＤ等のディスク型記録媒体を陳列棚に陳列する記録媒体陳列ケースに関する。
【背景技術】
【０００２】
音楽ＣＤ，ビデオＤＶＤ等のレンタル店では、それらのディスク型記録媒体が収容されたケース（以下、ＣＤケースという）が陳列ケースに収容され陳列棚に配置されている。客は陳列ケースの背のタイトルを見て希望するＣＤが入ったＣＤケースを陳列ケースから取り出し、レジでレンタル料を支払ってレンタルする。空になった陳列ケースはそのまま陳列棚に残るので、レンタル中であることが分かる。
【０００３】
現在汎用されているＣＤケースは、厚さが１０ｍｍで、内部にはＣＤのほか、フロントジャケット（歌詞カード）、バックインレイ（タイトルラベル）が収容され、外側には帯が装着され、包装されている。従来の陳列ケースは、入荷したＣＤケースを直接収容するため、ＣＤケースの厚さより大きく形成され、１０ｍｍ〜１４ｍｍの幅を有し、背にはＣＤケースから取り外した帯が貼り付けられる。
【０００４】
レンタル店では、新作ＣＤが発売されると、これを購入して陳列ケースに収納して陳列するため、店内の陳列スペースが次第に増加してゆく。レンタル店は、多角経営のため、１つの店舗でＣＤ等のレンタルスペースと書籍等の販売スペースを有している場合が多い。レンタルスペースが増加すると、販売スペースを縮小せざるを得ない。このような状況で、レンタル店では、現在のレンタルスペースを維持したま、あるいは縮小して、多くのレンタル品を陳列することにより、空いたスペースを他の用途の有効活用することが要請され、そのために新しい陳列方法や、幅の狭い陳列ケースの開発が望まれている。
【０００５】
従来、特許文献１には記録媒体のケースを上面側と正面側から出し入れできるようにしてそのまま陳列用に利用できるようにしたものが提案されているが、陳列ケースとしての厚さは記録媒体のケースと同じである。また、特許文献２には薄い樹脂製シートをコ形に曲げ加工した外側部と、透明フィルムを概略コ形に形成したカバー外側部と、Ｌ形フレームとで構成され、厚さを薄くした陳列用外ケースが提案され、同様に特許文献３には薄い樹脂製シートを折り曲げ成形したコ形の外側部と、透明フィルムをコ形に形成したカバーシート、側面ブロックと両側側面ブロックの３ピースからなるベース部材とで構成されたレンタル用カバーケースが提案されている。しかし、いずれのケースも、記録媒体を収容したケースをそのまま収容するものであるため、陳列ケースの厚さが薄くても記録媒体のケースの厚さを超えるものである。
【先行技術文献】
【特許文献】
【０００６】
【特許文献１】特開２００１−１３０６７３号公報
【特許文献２】特開２００５−１８７０６１号公報
【特許文献３】特開２００９−２７４７５３号公報
【考案の概要】
【考案が解決しようとする課題】
【０００７】
本考案は、前記従来の問題点に鑑みてなされたもので、ディスク型記録媒体のケースよりも薄い厚さを有し、陳列スペースを縮小することができるディスク型記録媒体陳列ケースを提供することを課題とする。
【課題を解決するための手段】
【０００８】
前記課題を解決するための第１の手段として、本考案は、
正面部、背面部、第１側面部、第２側面部及び底面部からなり、前記正面部にその一部又は全部が切り欠かれた切欠部を有するケース本体と、
前記正面部、前記第１側面部、前記背面部、前記第２側面部のそれぞれの外面を覆うように巻き付けた合成樹脂製の透明なフィルムカバーと、
前記背面部及び前記第１側面部と前記フィルムカバーとの間に挟み込まれるタイトルラベルとを備え、
前記ケース本体の内部に、ディスク型記録媒体を１枚又は２枚、歌詞カードを１枚収容した可撓性を有する貸出ケースを収納するための収納空間を有し、
前記第１側面部の外面が上か見て外方に凸に湾曲した曲面であり、当該曲面の周長が前記タイトルラベルのタイトル部の幅と同一であるものである。
【０００９】
前記課題を解決するための第２の手段として、本考案は、
正面部、背面部、第１側面部、第２側面部及び底面部からなり、前記正面部および前記背面部にそれらの一部又は全部が切り欠かれた切欠部を有するケース本体と、
前記背面部の切欠部を覆うように少なくとも前記背面部の外面に設けられたフィルムシートと、
前記正面部、前記第１側面部、前記背面部、前記第２側面部のそれぞれの外面を覆うように巻き付けた合成樹脂製の透明なフィルムカバーと、
前記背面部と対向するフィルムシート及び前記第１側面部と前記フィルムカバーとの間に挟み込まれるタイトルラベルとを備え、
前記ケース本体の内部に、ディスク型記録媒体を１枚又は２枚、歌詞カードを１枚収容した可撓性を有する貸出ケースを収納するための収納空間を有し、
前記第１側面部の外面が上か見て外方に凸に湾曲した曲面であり、当該曲面の周長が前記タイトルラベルのタイトル部の幅と同一であるものである。
【００１０】
前記第２の手段において、前記フィルムシートは、前記背面部の外面の両側から、前記第１側面部の外面、前記第２側面部の外面、前記正面部の切欠部を覆うスリーブからなることが好ましい。
【００１１】
前記第１の手段及び前記第２の手段において、前記ケース本体の底面部の少なくとも前面側の縁に、前記収納空間に収納される前記貸出ケースの脱落を防止する爪部を有することが好ましい。これによれば、貸出ケースがケース本体の底面部とフィルムシートの隙間から脱落することがないので、貸出ケースの落下による損傷や紛失が無くなる。
【００１２】
前記第２側面部の外面に、前記フィルムカバーの両端部が係合するボスを有することが好ましい。これによれば、フィルムカバーの両端部をボスに係合するだけで簡単にフィルムカバーをケース本体に装着することができる。
【００１３】
少なくとも前記第１側面部の外面の上下の端部に、前記タイトルラベルの上下端を位置決めする段部を有することが好ましい。これによれば、タイトルラベルを上下方向の一定の位置に正しく装着することができる。
【００１４】
前記第１手段の前記背面部又は前記第２手段の前記フィルムシートに前記タイトルラベルの一端を位置決めするマークを有することが好ましい。これによれば、タイトルラベルを水平方向の一定の位置に正しく装着することができる。
【考案の効果】
【００１５】
本考案によれば、第１側面部の外面が曲面で形成され、該曲面の周長が記録媒体のタイトルラベルのタイトル部の幅と同一に形成されているので、タイトル部の幅７ｍｍに対してケース本体の幅が従来の１/２の４．４５ｍｍとなり、大幅に薄くすることができ、限られた陳列スペースで多くの陳列ケースを陳列することができ、また陳列スペースを縮小することができ、残りのスペースを有効活用することができる。
また、第１側面部の曲面の周長が記録媒体のタイトルラベルのタイトル部の幅と同一であるため、タイトル部の表示が切れることがなく、読みやすい。
さらに、正面部又は背面部の一部又は全部が切り欠かれた切欠部を有するので、正面部又は背面部の切り欠かれた部分の厚み分だけ収容空間を拡大することができる。
【図面の簡単な説明】
【００１６】
【図１】本考案の第１実施形態による陳列ケースと貸出ケースの斜視図。
【図２】図１の陳列ケースのケース本体の正面側から見た斜視図（Ａ）、及び背面側から見た斜視図（Ｂ）。
【図３】図２のケース本体のＩＩＩ−ＩＩＩ線断面図。
【図４】図２のケース本体のＩＶ−ＩＶ線断面図。
【図５】図２のケース本体のＶ−Ｖ線断面斜視図。
【図６】図１の陳列ケースのフィルムカバーの展開斜視図。
【図７】ＣＤケースの蓋を半開きした状態を示す斜視図。
【図８】ケース本体にフィルムカバーを装着する手順を示す斜視図。
【図９】図８に続くケース本体にフィルムカバーを装着する手順を示す斜視図。
【図１０】図９に続くケース本体にフィルムカバーを装着する手順を示す斜視図。
【図１１】図１０に続くケース本体にフィルムカバーを装着する手順を示す斜視図。
【図１２】図１１に続くケース本体にフィルムカバーを装着する手順を示す斜視図。
【図１３】図１２に続くケース本体にフィルムカバーを装着する手順を示す斜視図。
【図１４】図１３に続くケース本体にフィルムカバーを装着する手順を示す斜視図。
【図１５】図１４に続くケース本体にフィルムカバーを装着する手順を示す斜視図。
【図１６】ケース本体に貸出ケースを収納した状態を示す斜視図。
【図１７】本考案の第２実施形態による陳列ケースと貸出ケースの斜視図。
【図１８】図１７の陳列ケースのケース本体の正面側から見た斜視図。
【図１９】図１７の陳列ケースのケース本体の変形例を示す斜視図。
【図２０】図１７の陳列ケースのケース本体の変形例を示す斜視図（Ａ）及び正面図（Ｂ）。
【考案を実施するための形態】
【００１７】
次に、本考案の実施形態を添付図面に従って説明する。
【００１８】
＜第１実施形態＞
図１は、本考案に係る第１実施形態のディスク型記録媒体の陳列ケース１と貸出ケース５を示す。陳列ケース１は、ケース本体２とフィルムカバー３とからなり、ディスク型記録媒体４が収容された貸出ケース５を収納してレンタル店の陳列棚に陳列される。
【００１９】
ケース本体２は、ＰＡ（ポリアミド）、ＡＢＳ、ＰＰ（ポリプロピレン）等の合成樹脂からなり、図２に示すように、切欠部６を有する正面部７、背面部８、第１側面部９、第２側面部１０及び底面部１１から構成され、上端が開口し、正面部７が切り欠かれた矩形の箱である。
【００２０】
正面部７は、大部分が切り欠かれて、切欠部６が形成されている。正面部７の切欠部６の大きさは、ディスク型記録媒体４の大きさ（径１２０ｍｍ）以上であり、図２では、横方向は第１側面部９から第２側面部１０までの全範囲が切り欠かれ、縦方向は上端から底面部１１まで切り欠かれ、貸出ケース５の脱落を防止するための２つの爪部１２のみが残っている。爪部１２は正面から見て台形であるが、貸出ケース５の脱落を防止できる形状であれば、半円形など形状は任意である。
【００２１】
背面部８は、厚さ１．２７５ｍｍの矩形の板状で、下端にはケース本体２の成型時に爪部１２を形成するための型の抜き穴１２ａが設けられている。
【００２２】
第１側面部９は、図３に示すように、外面が上から見て外方に凸に湾曲した曲面に形成されている。曲面の周長は、ディスク型記録媒体４のタイトルラベル１３のタイトル部１３ａの幅と同一に形成されている。タイトルラベル１３のタイトル部１３ａの幅Ａは７ｍｍであるから、第１側面部９の奥行Ｂは、４．４５ｍｍ（7x2/3.14）である。
【００２３】
第２側面部１０は、図４に示すように、外面が第１側面部９と同様に曲面で形成されている。第２側面部１０の外面には、フィルムカバー３の両端部の係合孔２２が係合するボス１４が上下方向の３箇所に形成されている。ボス１４は、円柱状で、フィルムカバー３が外れないように先端にやや径の大きい頭部１４ａを有している。３つのボス１４のうち、上から２つのボス１４と反対側の第２側面部１０の内面には、フィルムカバー３の装着時にボス１４に作用する力により第２側面部１０が折れるのを防止するためのリブ１５が形成されている。３つ目のボス１４と反対側の第２側面部１０の内面には、底面部１１が存在しているため、リブは形成されていない。
【００２４】
底面部１１は、高さ８ｍｍで、図５に示すように、正面にはケース本体２の成型時の肉盗みとなる複数の凹部１６が形成されている。底面部１１の上面の正面側には、既に述べた爪部１２が突出している。
【００２５】
図２に示すように、ケース本体２の第１側面部９の外面の上端から、背面部８の外面の上端、第２側面部１０の外面の上端まで、第１段部１７が連続して形成されている。同様に、第１側面部９の外面の下端から、背面部８の外面の下端、第２側面部１０の外面の下端まで、第２段部１８が連続して形成されている。第１段部１７と第２段部１８の間隔は、その間にタイトルラベル１３を装着できるように、タイトルラベル１３の縦寸法１１７ｍｍと同一になっている。第１段部１７と第２段部１８は、第１側面部９の外面にのみ設けて、タイトルラベル１３のタイトル部１３ａを位置決めできるようにしてもよい。
【００２６】
背面部８の第１段部１７と第２段部１８には、図２（Ｂ）に示すように、タイトルラベル１３の装着時にタイトルラベル１３の一端を位置決めするための三角形のマーク１９，２０が形成されている。マーク１９，２０の形状は任意であり、ノッチ（切込み）や第１段部１７と第２段部１８の間に延伸する突条でもよい。
【００２７】
フィルムカバー３は、図６に示すように、ケース本体２の全周を覆う長さと、ケース本体２の第１段部１７と第２段部１８の間を覆う幅とを有する厚さ０．２ｍｍのＰＥＴフィルムからなる。フィルムカバー３の両端には、ケース本体２のボス１４に係合する係合孔２２が３箇所に形成されている。
【００２８】
貸出ケース５は、図１に示すように、不織布からなる可撓性のケースで、表面と裏面にポケット２３を有する。各ポケット２３は、ＣＤ、ＤＶＤ等のディスク型記録媒体４と歌詞カード２４が収容できる大きさである。
【００２９】
ケース本体２の背面部８、第１側面部９、第２側面部１０、底面部１１及びフィルムカバー３で囲まれる空間には、図１に示すように、貸出ケース５を収納する収納空間２１が形成されている。収納空間２１の縦方向の大きさは、貸出ケース５を収納したときに貸出ケース５の上部が露出するように貸出ケース５の高さよりも小さく形成されている。収容空間２１の横方向の大きさは、貸出ケース５よりもやや大きい。収納空間２１の奥行方向の大きさは、爪部１２の厚さ分を含めて３．７２５ｍｍで、貸出ケース５に収容された記録媒体４が２枚と歌詞カード２４を十分に収納できる大きさである。ケース本体２の第１側面部９の奥行方向の厚さ、すなわち、陳列したときに正面となる幅Ｃ（図１６参照）は、５ｍｍで、従来の陳列ケース（１０〜１４ｍｍ）の１/２以下である。
【００３０】
次に、以上の構成からなる陳列ケースの組立及び陳列方法について説明する。
【００３１】
図７は、音楽のＣＤやビデオのＤＶＤ等のディスク型記録媒体のケース２５（以下、単にＣＤケースという。）である。レンタル店では、このＣＤケース２５に収容されている記録媒体４と、歌詞カード２４と、タイトルラベル１３を取り出し、記録媒体４と歌詞カード２４を図１に示す貸出ケース５に収容する。タイトルラベル１３は、以下に説明する手順により陳列ケース１のケース本体２とフィルムカバー３との間に装着する。
【００３２】
まず、図８に示すように、ケース本体２の第２側面部１０のボス１４にフィルムカバー３の一端の係合孔２２を係合し、図９に示すように正面部７を覆う。続いて、図１０に示すように、タイトルラベル１３の印刷面が外側になるようにして背面部８に対向させ、タイトルラベル１３の上下端を第１段部１７と第２段部１８に合わせて上下方向に位置決めするとともに、図１１に示すようにタイトル部１３ａが第１側面部９の外面に沿うように合わせる。このとき、タイトルラベル１３の図において左端を背面部８の第１段部１７と第２段部１８に設けたマーク１９，２０に合わせることで、タイトルラベル１３を水平方向に位置決めし、タイトル部１３ａを第１側面部９の外面にぴったりと合わせることができる。
【００３３】
次に、図１２に示すように、タイトルラベル１３を支えながら、フィルムカバー３を第１側面部９に沿って曲げて、背面部８に重ねてゆく。図１３、図１４に示すように、フィルムカバー３と第１側面部９の間、およびフィルムカバー３と背面部８の間にタイトルラベル１３を挟み込む。最後に、図１５に示すように、フィルムカード３の係合孔２２を第２側面部１０のボス１４に係合する。これにより、タイトルラベル１３はケース本体２とフィルムカード３の間に装着される。
【００３４】
そして、図１６に示すように、記録媒体４と歌詞カード２４を収容した貸出ケース５を、陳列ケース１の上部の開口部から背面部８とフィルムカバー３との間に挿入し、内部の収納空間２１に収納する。この状態で、貸出ケース５の上部が陳列ケース１の開口部から上方に露出した状態となる。
【００３５】
このように貸出ケース５を収納した陳列ケース１をタイトルラベル１３のタイトル部１３ａが陳列棚を見て手前になるように陳列棚に陳列する。この状態では陳列ケース１の幅Ｃは５ｍｍであり、従来の１/２となり、大幅に薄くすることができる。このため、限られた陳列スペースで多くの陳列ケース１を陳列することができる。また陳列スペースを縮小することができ、残りのスペースを有効活用することができる。また、第１側面部９の曲面の周長が記録媒体４のタイトルラベル１３のタイトル部１３ａの幅と同一であるため、タイトル部１３ａの表示が切れることがなく、読みやすい。
【００３６】
＜第２実施形態＞
図１７は、本考案に係る第２実施形態のディスク型記録媒体の陳列ケース１´を示す。この陳列ケース１´は、正面部７だけでなく背面部８も切り欠かれたケース本体２を使用し、ケース本体２を覆うフィルムシート２６を有する以外は、前記第１形態の陳列ケース１と同一であり、対応する部分には同一符号を附して説明を省略する。
【００３７】
第２実施形態のケース本体１´は、図１８に示すように、正面部７が第１実施形態と同様に切り欠かれるとともに、背面部８も切り欠かれている。背面部８の切欠部２７の大きさは、ディスク型記録媒体４の大きさ（径１２０ｍｍ）以上であり、図１８では、横方向は第１側面部９と第２側面部１０の近傍に一部のみを残してほぼ全範囲が切り欠かれ、縦方向は上端から底面部までほぼ全範囲が切り欠かれ、第１側面部９と第２側面部１０を補強するための２つのリブ２８のみが残っている。
【００３８】
フィルムシート２６は、切り欠かれた背面部８を覆う大きさであり、背面部８の残った部分に貼り付けされている。フィルムシート２６は背面部８を覆うだけでなく、ケース本体２の全体を覆ってもよい。すなわち、図１９に示すように、熱収縮性樹脂からなるフィルムを筒状にしたスリーブ２９をケース本体２の上方から被せて加熱して収縮させ、正面部７、背面部８、第１側面部９、第２側面部１０の外面に密着させる。スリーブ２９には、ケース本体ボス１４が通る孔３０を形成しておくことが好ましい。フィルムシート２６及びスリーブ２９には、タイトルラベル１３の装着時にタイトルラベル１３の一端を位置決めするためのマーク１９，２０を予め印刷しておいてもよい。
【００３９】
また、図２０（Ａ）に示すように、背面部８の横方向は第１側面部９から第２側面部１０までの全範囲が切り欠かれ、縦方向は上端から底面部１１まで切り欠かれ、貸出ケース５の脱落を防止するための正面部の２つの爪部１２と同形状の１つの爪部１２のみを残すようにしてもよい。このとき、図２０（Ｂ）に示すように、第１側面部９、第２側面部１０が互いに接近する方向に撓むのを防止するために、予め第１側面部９と第２側面部１０を外方に反らせて、第１側面部９、第２側面部１０の上端の寸法Ｄ´を底面部の寸法Ｄよりも大きくしておくことが好ましい。
【００４０】
フィルムシート２６を取り付けた後、第１実施形態と同様に、フィルムカバー３を装着する。この場合、タイトルラベル１３はフィルムシート２６とフィルムカバー３の間に装着されることになるが、手順としては第１実施形態と同一である。
【００４１】
第２実施形態では、正面部７のみに切欠部６を有する第１実施形態と比べて、正面部７と背面部８に切欠部６，２７を有するので、正面部７と背面部８の切り欠かれた部分の厚み分だけ収納空間２１を拡大することができる。
【００４２】
本考案は、前記実施形態に限らず、種々変更することができる。例えば、フィルムカバー３の第２側面部１０への取付け構造は、前記実施形態のボス１４と係合孔３３の係合構造に限らず、フィルムカバー３の端部同士を熱溶着したり、クリップで挟着したり、ねじやリベットで固着したり、フィルムカバー３の端部をケース本体２に差し込むなどの種々の構造を採用することができる。
【符号の説明】
【００４３】
１，１´  陳列ケース  
２  ケース本体
３  フィルムカバー
４  ディスク型記録媒体
５  貸出ケース
６  切欠部
７  正面部
８  背面部
９  第１側面部
１０  第２側面部
１１  底面部
１２  爪部
１３  タイトルラベル
１３ａ  タイトル部
１４  ボス
１７  第１段部
１８  第２段部
１９  マーク
２０  マーク
２１  収容空間
２２  係合孔
２４  歌詞カード
２６  フィルムシート
２７  切欠部
２９  スリーブ
【図１】
0003200777.tif 000003
【図２】
0003200777.tif 000004
【図３】
0003200777.tif 000005
【図４】
0003200777.tif 000006
【図５】
0003200777.tif 000007
【図６】
0003200777.tif 000008
【図７】
0003200777.tif 000009
【図８】
0003200777.tif 000010
【図９】
0003200777.tif 000011
【図１０】
0003200777.tif 000012
【図１１】
0003200777.tif 000013
【図１２】
0003200777.tif 000014
【図１３】
0003200777.tif 000015
【図１４】
0003200777.tif 000016
【図１５】
0003200777.tif 000017
【図１６】
0003200777.tif 000018
【図１７】
0003200777.tif 000019
【図１８】
0003200777.tif 000020
【図１９】
0003200777.tif 000021
【図２０】
0003200777.tif 000022